(57)【要約】      （修正有）【課題】徹底洗浄でき、且つ繰り返し水洗い使用可能で使用コストを低減できる清掃ローラを提供する。【解決手段】本清掃ローラ１は、ローラ本体１１及び清掃粘着層１２を含む。清掃粘着層は、ローラ本体の外表面に環状に設置され、そのうち、清掃粘着層は、ローラ本体の外表面に一体に成型し結合でき、かつ清掃粘着層は、繰り返し水洗い使用できる構造である。繰り返し水洗い使用することができ、使用コストを低減し、資源の浪費を回避し、環境汚染の発生を回避することができる。【選択図】図１
0003166650.tif 000002
【実用新案登録請求の範囲】
【請求項１】
ローラ本体と、
該ローラ本体の外表面に設置され、繰り返し水洗い使用できる構造である清掃粘着層と、
を含む清掃ローラ。
【請求項２】
前記ローラ本体は、チューブ型ローラ本体である請求項１に記載の清掃ローラ。
【請求項３】
前記ローラ本体は、把手上に装着でき、該ローラ本体を該把手に相対して転動させる請求項１に記載の清掃ローラ。
【請求項４】
前記把手は、小型把手、大型把手、短型把手及び長型把手を含む請求項３に記載の清掃ローラ。
【請求項５】
前記清掃粘着層は、ＰＵ清掃粘着層である請求項１に記載の清掃ローラ。
【請求項６】
前記ローラ本体及び清掃粘着層の間に更にシール層を設ける請求項１に記載の清掃ローラ。
【請求項７】
前記シール層外表に更に透明ゲル層を設ける請求項６に記載の清掃ローラ。
【考案の詳細な説明】
【技術分野】
【０００１】
本考案は、清掃ローラの技術に関し、特に、水洗い繰り返し使用可能な清掃ローラに関する。
【背景技術】
【０００２】
住宅環境及び個人の用品を清潔に保持するため、しばしば多くの異なる清掃用具の使用が必要とされ、それによりようやく環境及び個人の衣類などの清潔を保持する目的を達成することができる。環境を清潔にすることについて、最もよく使用される清掃道具は、箒及びモップであり、箒は、灰塵又は屑を掃き清潔にすることができ、モップは、微小な灰塵又は汚れをきれいに擦り落とすことができる。個人の衣類について言えば、衣服は、着用し、洗浄した後、毛玉が発生し易く、毛玉は、通常数多く密集し、衣服上の結合し、きれいにすることが困難であるので、多くの衣類毛玉除去専用の清掃道具が普及している。
【０００３】
従来の毛玉除去用の工具で最も良く見られるのは、灰塵吸引毛玉除去機であり、それは、小型の機器であり、電力装置を介して毛玉除去機の吸引ヘッドに吸引力を具備させ、且つ収容空間を有し、吸い取った灰塵及び毛玉を蓄積する。この種の構造は、何れも電池を組み合わせて使用する必要があり、電力が小さくなるか不足する時、吸引力の低下を招き、予期する効果を達成することができないので、絶えず新しい電池に交換して始めて最良の効果を発揮でき、使用のコストを上昇させる。また、灰塵吸引毛玉除去機の吸引ヘッドは、何れも小さいので、大きな面積の灰塵又は毛玉を吸着することに適さず、従って、全体の実用性を低下させている。
【０００４】
上記灰塵吸引毛玉除去機の欠陥を改善する為、またある種の毛玉吸着器は、把手上にローラを装着し、該ローラ上に複数の清掃シールを結合した灰塵吸着ローラを設け、清掃シールを介して衣服の毛玉部位に転動させ、清掃シールの粘着力により衣服上の毛玉を清潔に除去し、清掃シールの毛玉又は灰塵の吸着が充満し、粘着力が無くなった時、該層の毛玉が充満した清潔シールを剥し取り、一層の新たな未使用のシールを露出させることができ、例えば、この繰り返し使用では、シールを全て使用し終えた後、新たな一筒の清掃シールを有するローラを補充しなければならない。但し、この種の清掃シールを用いた毛玉吸着器は、大量の清掃シールを使用する必要があるので、環境保護に適さず、且つ環境に対し汚染を引き起こす。
【０００５】
従って、使用コストの増加及び環境汚染を発生せず、繰り返し使用でき、使用上の浪費を引き起こさない清掃ローラを如何に考案するかが本考案の積極的に開示しようとするところである。
【先行技術文献】
【特許文献】
【０００６】
【特許文献１】実用新案出願平５−４２１９号公報
【考案の概要】
【考案が解決しようとする課題】
【０００７】
本考案の目的は、徹底洗浄でき、且つ繰り返し水洗い使用可能で使用コストを低減できる清掃ローラを提供することである。
【０００８】
本考案の他の目的は、多種の異なる寸法を有し、異なる清掃状況に応用できる清掃ローラを提供することである。
【課題を解決するための手段】
【０００９】
上記の目的を達成するため、本考案が提供する清掃ローラは、ローラ本体及び清掃粘着層を含む。清掃粘着層は、ローラ本体の外表面に環状に設置され、そのうち、清掃粘着層は、ローラ本体の外表面に一体に成型し結合でき、且つ清掃粘着層は、繰り返し水洗い使用できる構造である。
好適実施例において、ローラ本体は、チューブ型ローラ本体である。且つローラ本体は、更に把手上に装着でき、ローラ本体を把手に対して転動させることができる。また、清掃粘着層は、ＰＵ清掃粘着層である。
【００１０】
本考案は下記の特徴を有する。
（１）ローラ本体と、
該ローラ本体の外表面に設置され、繰り返し水洗い使用できる構造である清掃粘着層と、
を含む清掃ローラ。
（２）前記ローラ本体は、チューブ型ローラ本体である（１）に記載の清掃ローラ。
（３）前記ローラ本体は、把手上に装着でき、該ローラ本体を該把手に相対して転動させる（１）に記載の清掃ローラ。
（４）前記把手は、小型把手、大型把手、短型把手及び長型把手を含む（３）に記載の清掃ローラ。
（５）前記清掃粘着層は、ＰＵ清掃粘着層である（１）に記載の清掃ローラ。
（６）前記ローラ本体及び清掃粘着層の間に更にシール層を設ける（１）に記載の清掃ローラ。
（７）前記シール層外表に更に透明ゲル層を設ける（６）に記載の清掃ローラ。
【考案の効果】
【００１１】
従来技術に比較し、本考案の清掃ローラは、繰り返し水洗い使用できる清掃粘着層を該ローラ本体上に結合し、直接毛玉又は灰塵を吸着でき、毛玉又は灰塵の吸着が充満した後、粘着層をそのまま水洗いし清掃でき、毛玉及び灰塵を洗浄し、清掃した粘着層が乾燥後、また、粘着性を回復し、繰り返し使用を継続することができる。従って、従来の灰塵吸引毛玉除去機又は毛玉吸着器のように電池又は灰塵吸着シールを絶えず交換しなければならないということがないので、使用コストを低減でき、環境汚染の発生を回避することができる。
【図面の簡単な説明】
【００１２】
【図１】本考案の清掃ローラの好適実施例の立体説明図である。
【図２】本考案の清掃ローラの好適実施例の使用状態参考図である。
【図３】本考案の清掃ローラの他の好適実施例の使用状態参考図である。
【図４】本考案の清掃ローラの他の好適実施例の立体図である。
【図５】本考案の清掃ローラの他の好適実施例の側面断面図である。
【考案を実施するための形態】
【００１３】
以下に特定の具体的実施例により本考案の実施方式を説明するが、当業者であれば、本明細書が開示する内容から本考案のその他の利点及び効果を容易に理解できるものである。
【００１４】
以下に図面を参照し、本考案の実施例を説明するが、注意すべき点は、図面は、簡易化した説明図であり、概略方式により本考案の基本構想を説明するだけであり、また、本考案と関連する構造を例示するだけであり、実際の使用時の部材数、形状及び寸法に基づき示されるものではなく、その実際の実施時の各部材の形態、数量及び比率は、図面に制限するものではなく、実際の設計に応じて変化させることができるものである。
【００１５】
先ず、図１は、本考案の清掃ローラの好適実施例の立体説明図である。図に示すように、本考案の清掃ローラ１は、ローラ本体１１及びローラ本体１１外表に結合する清掃粘着層１２を含む。
【００１６】
ローラ本体１１は、チューブ型ローラ本体１１であり、清掃粘着層１２は、ＰＵ材質で形成され、清掃粘着層１２は、ローラ本体１１に結合する外表面に一体に成型される。
【００１７】
本実施例において、ローラ本体１１は、一般の硬質プラスチックであるが、これに制限するものではなく、その他の実施例において、その他の構造であることもできる。清掃粘着層１２は、ＰＵ材質から構成され、清掃粘着層１２は、粘着性を有し、繰り返し水洗いし、粘着性を回復できる特性を有するので、清掃したい物品表面の毛玉、灰塵又は屑を直接吸着できる。また、その他の実施例において、清掃粘着層１２は、香料又は精油等の成分を添加でき、清掃粘着層１２に各種の異なる香りを発生させることができる。
【００１８】
図２は、本考案の清掃ローラの好適実施例の使用状態参考図であり、図に示すように、本考案のローラ本体１１は、清掃粘着層１２に結合した後、更に把手上に装着でき、該ローラ本体１１を該把手２に相対して転動させることができる。本実施例において、把手は、短型把手２又は小型把手２であり、このように、衣服の毛玉除去器として使用でき、清掃粘着層１２に毛玉が充満した後、ローラ本体１１を直接水洗いでき、清掃粘着層１２上に粘着した毛玉を清掃でき、清掃粘着層１２が乾燥し、粘着性を回復した後、繰り返し使用することができる。
【００１９】
図３は、本考案の清掃ローラの他の好適実施例の使用状態参考図であり、図に示すように、本考案の清掃ローラ１の寸法は、必要に応じて異なる長さを有するように設計でき、長型把手２又は大型把手２を組み合わせて使用し、モップの機能を有することができ、直接床面上の灰塵、毛髪、屑を吸着することに用いることができる。同様に、清掃粘着層１２が灰塵、毛髪又は屑の付着を充満させた後、ローラ本体１１を直接水洗いし、清掃粘着層１２上に粘着した灰塵、毛髪又は屑を清掃除去し、清掃粘着層１２を清潔にし、粘着性を回復した後、繰り返し使用することができる。
【００２０】
図４及び図５は、本考案の清掃ローラ又は好適実施例の立体図及び側面断面図であり、図に示すように、本考案のローラ本体１１及び清掃粘着層１２の間に更に、シール層１３を設け、且つ外表に更に透明ゲル層１３１を設ける。このシール層１３は、アニメ図案又は各地観光地の写真などであることができ、全体の外観をより活発にすることができる。
【００２１】
本考案の清掃ローラは、清掃粘着層の設計を利用し、清掃粘着層を毛玉、灰塵、毛髪又は屑を直接吸着可能にし、且つ清掃粘着層は、水洗いを介して繰り返し使用できるので、従来の灰塵吸引毛玉除去機又は毛玉吸着器のように絶えず電池又は灰塵吸着シールを交換する必要がなく、従って、使用コストを低減し、環境汚染の発生を回避できる。更に本考案のローラ本体及び清掃粘着層は、一体に成型した構造であるので、各種異なる長さ又は大きさに形成でき、毛玉除去器またはモップ等の多種の用途の清掃道具となることができる。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２３】
１  清掃ローラ
１１  ローラ本体
１２  清掃粘着層
１３  シール層
１３１  透明ゲル層
２  把手
【図１】
0003166650.tif 000003
【図２】
0003166650.tif 000004
【図３】
0003166650.tif 000005
【図４】
0003166650.tif 000006
【図５】
0003166650.tif 000007
【手続補正書】
【提出日】平成23年1月5日(2011.1.5)
【手続補正１】
【補正対象書類名】実用新案登録請求の範囲
【補正対象項目名】請求項１
【補正方法】変更
【補正の内容】
【請求項１】
ローラ本体と、該ローラ本体の外表面に設置される清掃粘着層と、を含む清掃ローラ。
【手続補正２】
【補正対象書類名】実用新案登録請求の範囲
【補正対象項目名】請求項４
【補正方法】変更
【補正の内容】
【請求項４】
前記把手は、小型把手、大型把手、短型把手、又は長型把手のいずれかである請求項３に記載の清掃ローラ。